(57)【要約】【課題】送信側の移動局装置のハンドオーバの際に、受信側の基地局装置において蓄積バッファとして確保される記憶領域を大きくすることなく、ハンドオーバに伴うデータの欠落が防ぐ。【解決手段】第１の基地局装置から第２の基地局装置へのハンドオーバを行う送信側の移動局装置と呼接続する受信側の移動局装置と通信を行う基地局装置１０１は、第２の基地局装置から第２の通信セッションを介して送信されるセッションデータに含まれる第２の通信セッションに係るセッション情報を、第１の基地局装置から第１の通信セッションを介して送信されたセッションデータに含まれる第１の通信セッションに係るセッション情報に後続するセッション情報に変更する、ヘッダ変更部１０８を含む。【選択図】図１
2010109632.tif 000002
【特許請求の範囲】
【請求項１】
第１の基地局装置から第２の基地局装置へのハンドオーバを行う第１の移動局装置と呼接続する第２の移動局装置と通信を行う基地局装置であって、
自基地局装置と前記第１の基地局装置との間で確立される第１の通信セッションを介して、前記第１の基地局装置から、ハンドオーバ前に前記第１の移動局装置が前記第２の移動局装置宛てに送信する第１の通信データと、前記第１の通信データに関連づけられる、該第１の通信セッションに係るセッション情報と、を含む第１のセッションデータを受信する第１受信手段と、
前記第１の移動局装置のハンドオーバに伴って自基地局装置と前記第２の基地局装置との間で確立される第２の通信セッションを介して、前記第２の基地局装置から、ハンドオーバ後に前記第１の移動局装置が前記第２の移動局装置宛てに送信する第２の通信データと、前記第２の通信データに関連づけられる、該第２の通信セッションに係るセッション情報と、を含む第２のセッションデータを受信する第２受信手段と、
前記第２のセッションデータに含まれる前記第２の通信セッションに係るセッション情報を、前記第１の通信セッションに係り、前記第１の通信セッションに係るセッション情報に後続するセッション情報に変更するセッション情報変更手段と、
前記第１のセッションデータと、前記セッション情報変更手段において変更されたセッション情報を含む第２のセッションデータと、を出力するセッションデータ出力手段と、
前記セッションデータ出力手段から出力されるセッションデータの、少なくとも通信データを、該セッションデータに含まれるセッション情報が係る通信セッションに対応する蓄積バッファに蓄積する通信データ蓄積手段と、
前記蓄積バッファに蓄積される前記通信データを、該通信データに関連づけられるセッション情報に基づく順序で、前記第２の移動局装置に送信するデータ送信手段と、
を含むことを特徴とする基地局装置。
【請求項２】
請求項１に記載の基地局装置において、
前記セッション情報は、該セッション情報で示されるセッションで送信される通信データの送信順序を示すシーケンス番号を含み、
前記セッション情報変更手段は、前記第２の通信セッションに係るセッション情報に含まれるシーケンス番号を、前記第１の通信セッションに係るセッション情報に含まれるシーケンス番号に後続するシーケンス番号に変更する、
ことを特徴とする基地局装置。
【請求項３】
請求項１または２に記載の基地局装置において、
前記セッション情報は、該セッション情報で示されるセッションで送信される通信データの送信時刻を含み、
前記セッション情報変更手段は、前記第２の通信セッションに係るセッション情報に含まれる送信時刻を、前記第１の通信セッションに係るセッション情報に含まれる前記ハンドオーバ直前の送信時刻に基づいた時刻に変更する、
ことを特徴とする基地局装置。
【請求項４】
請求項１から３のいずれかに記載の基地局装置において、
前記通信セッションは、ＲＴＰセッションであり、
前記セッション情報は、前記通信セッションを介して送信される通信データに付加されるＲＴＰヘッダに含まれる情報の少なくとも一部である、
ことを特徴とする基地局装置。
【請求項５】
第１の基地局装置から第２の基地局装置へのハンドオーバを行う第１の移動局装置と呼接続する第２の移動局装置と通信を行う基地局装置の制御方法であって、
自基地局装置と前記第１の基地局装置との間で確立される第１の通信セッションを介して、前記第１の基地局装置から、ハンドオーバ前に前記第１の移動局装置が前記第２の移動局装置宛てに送信する第１の通信データと、前記第１の通信データに関連づけられる、該第１の通信セッションに係るセッション情報と、を含む第１のセッションデータを受信する第１受信ステップと、
前記第１の移動局装置のハンドオーバに伴って自基地局装置と前記第２の基地局装置との間で確立される第２の通信セッションを介して、前記第２の基地局装置から、ハンドオーバ後に前記第１の移動局装置が前記第２の移動局装置宛てに送信する第２の通信データと、前記第２の通信データに関連づけられる、該第２の通信セッションに係るセッション情報と、を含む第２のセッションデータを受信する第２受信ステップと、
前記第２のセッションデータに含まれる前記第２の通信セッションに係るセッション情報を、前記第１の通信セッションに係り、前記第１の通信セッションに係るセッション情報に後続するセッション情報に変更するセッション情報変更ステップと、
前記第１のセッションデータと、前記セッション情報変更ステップにおいて変更されたセッション情報を含む第２のセッションデータと、を出力するセッションデータ出力ステップと、
前記セッションデータ出力ステップにおいて出力されるセッションデータの、少なくとも通信データを、該セッションデータに含まれるセッション情報が係る通信セッションに対応する蓄積バッファに蓄積する通信データ蓄積ステップと、
前記蓄積バッファに蓄積される前記通信データを、該通信データに関連づけられるセッション情報に基づく順序で、前記第２の移動局装置に送信するデータ送信ステップと、
を含むことを特徴とする制御方法。
【発明の詳細な説明】
【技術分野】
【０００１】
本発明は、ハンドオーバを行う移動局装置と通信を行う基地局装置および基地局装置の制御方法に関する。
【背景技術】
【０００２】
図５は、ＩＰ（Ｉｎｔｅｒｎｅｔ  Ｐｒｏｔｏｃｏｌ）ネットワークを用いる従来の移動通信システム５０１の構成を示す図である。
【０００３】
移動通信システム５０１は、基地局装置（受信側の基地局装置）５０２、基地局装置（送信側の基地局装置）２０２、基地局装置（送信側の基地局装置）２０３、移動局装置（送信側の移動局装置）２０４、移動局装置（受信側の移動局装置）２０５、ルータ２０６、センター（センター装置）２０７を含む。
【０００４】
ここでは、移動局装置２０４が、移動局装置２０５にデータを送信する場合について説明する。
【０００５】
基地局装置５０２，２０２，２０３およびルータ２０６の有線区間において、それぞれはＩＰパケット（デジタル信号）による通信が行われる。移動局装置２０４と基地局装置２０２および基地局装置２０３との間ではアナログ信号による通信が行われ、移動局装置２０５と基地局装置５０２との間ではアナログ信号による通信が行われる。
【０００６】
図５の例においては最初に、移動局装置２０４と移動局装置２０５とが、基地局装置２０２および基地局装置５０２、ルータ２０６を介して音声などのリアルタイム通信で通信する際、ＳＩＰ（Ｓｅｓｓｉｏｎ  Ｉｎｉｔｉａｔｉｏｎ  Ｐｒｏｔｏｃｏｌ）を利用して基地局装置２０２と基地局装置５０２との間で、ＲＴＰ（Ｒｅａｌ−ｔｉｍｅ  Ｔｒａｎｓｐｏｒｔ  Ｐｒｏｔｏｃｏｌ）セッションが確立される。
【０００７】
移動局装置２０４が移動して、最も通信に適した基地局装置が基地局装置２０２から基地局装置２０３に変化する場合、ハンドオーバにより、移動局装置２０４の通信相手は基地局装置２０２から基地局装置２０３に切り替わり、移動局装置２０４と移動局装置２０５との通信は、基地局装置２０３，基地局装置５０２，ルータ２０６を介した通信に切り替わる。ハンドオーバ等の移動通信システム５０１の動作制御は、センター２０７が行う。
【０００８】
ハンドオーバ前に移動局装置２０４と通信を行う基地局装置２０２、およびハンドオーバ後に移動局装置２０４と通信を行う基地局装置２０３は、移動局装置２０４から無線で受信する音声データ等をＲＴＰパケット等を含むＩＰパケットに変換し、得られるＩＰパケットをセッションデータとして、移動局装置２０５と通信を行う基地局装置５０２に送信する。セッションデータは、基地局装置２０２、基地局装置２０３のそれぞれと基地局装置５０２との間で確立されたＲＴＰセッションを介して送信される。
【０００９】
基地局装置の間でＲＴＰと用いてＩＰパケットの通信を行う技術は、例えば特許文献１および２に記載されている。
【００１０】
基地局装置５０２は、ジッタバッファ（蓄積バッファ）を含み、受信したセッションデータからＩＰ／ＵＤＰヘッダ部等を除いた通信データをこのジッタバッファに蓄積する。基地局装置５０２はジッタバッファに一旦蓄積されるデータを読み出して移動局装置２０５に送信することで、通信環境などに起因するセッションデータの受信タイミングのずれを吸収し、移動局装置２０４が送信した時のタイミングでデータを送信している。ジッタバッファに関する技術は、例えば特許文献３に記載されている。
【特許文献１】特開２００７−２０２００６号公報
【特許文献２】特開２００７−０９６９６８号公報
【特許文献３】特開２００８−１８７３７７号公報
【発明の開示】
【発明が解決しようとする課題】
【００１１】
基地局装置５０２において、ジッタバッファは、ＲＴＰセッションの確立により、ＲＴＰセッションごとに確保され、ＲＴＰセッションの解放によって破棄（リセット）される。移動局装置２０４が基地局装置２０２から基地局装置２０３にハンドオーバする時に、基地局装置２０２と基地局装置５０２とのＲＴＰセッションの解放と、基地局装置２０３と基地局装置５０２とのＲＴＰセッションの確立が同時に行われると、データの欠落が発生する。詳細を以下に説明する。
【００１２】
図８は、データの欠落が発生する場合について説明する図である。
【００１３】
ハンドオーバの前には、基地局装置２０２（第１の基地局装置）と基地局装置５０２との間で確立されているＲＴＰセッション（第１のＲＴＰセッション）を介して受信される、第１のセッションデータの通信データＡがジッタバッファに蓄積される。
【００１４】
そして、ハンドオーバにおいて、第１のＲＴＰセッションが解放され、基地局装置２０３（第２の基地局装置）と基地局装置５０２との間に第２のＲＴＰセッションが確立されると、通信データＡを蓄積していたジッタバッファは破棄され、第２のＲＴＰセッションを蓄積するジッタバッファが確保される。リセット時にジッタバッファに蓄積されていた第１のＲＴＰセッションの通信データは破棄されてしまうため、データの欠落が発生する。
【００１５】
データの欠落を防ぐ構成として、第１のＲＴＰセッションと第２のＲＴＰセッションが同時に確立される期間を設け、第１のＲＴＰセッションは、ジッタバッファに蓄積されている第１のＲＴＰセッションのデータが全て出力されてから解放される構成が考えられる。
【００１６】
しかし、この手法では、ジッタバッファが２系統確保されるため、ジッタバッファとして確保される記憶領域が大きくなってしまうという問題がある。
【００１７】
本発明は上記従来の課題に鑑みてなされたものであり、送信側の移動局装置のハンドオーバの際に、受信側の基地局装置において蓄積バッファとして確保される記憶領域を大きくすることなく、ハンドオーバに伴うデータの欠落を防ぐ基地局装置および基地局装置の制御方法を提供することを目的とする。
【課題を解決するための手段】
【００１８】
上記の課題を解決するために、本発明に係る基地局装置は、第１の基地局装置から第２の基地局装置へのハンドオーバを行う第１の移動局装置と呼接続する第２の移動局装置と通信を行う基地局装置であって、自基地局装置と前記第１の基地局装置との間で確立される第１の通信セッションを介して、前記第１の基地局装置から、ハンドオーバ前に前記第１の移動局装置が前記第２の移動局装置宛てに送信する第１の通信データと、前記第１の通信データに関連づけられる、該第１の通信セッションに係るセッション情報と、を含む第１のセッションデータを受信する第１受信手段と、前記第１の移動局装置のハンドオーバに伴って自基地局装置と前記第２の基地局装置との間で確立される第２の通信セッションを介して、前記第２の基地局装置から、ハンドオーバ後に前記第１の移動局装置が前記第２の移動局装置宛てに送信する第２の通信データと、前記第２の通信データに関連づけられる、該第２の通信セッションに係るセッション情報と、を含む第２のセッションデータを受信する第２受信手段と、前記第２のセッションデータに含まれる前記第２の通信セッションに係るセッション情報を、前記第１の通信セッションに係り、前記第１の通信セッションに係るセッション情報に後続するセッション情報に変更するセッション情報変更手段と、前記第１のセッションデータと、前記セッション情報変更手段において変更されたセッション情報を含む第２のセッションデータと、を出力するセッションデータ出力手段と、前記セッションデータ出力手段から出力されるセッションデータの、少なくとも通信データを、該セッションデータに含まれるセッション情報が係る通信セッションに対応する蓄積バッファに蓄積する通信データ蓄積手段と、前記蓄積バッファに蓄積される前記通信データを、該通信データに関連づけられるセッション情報に基づく順序で、前記第２の移動局装置に送信するデータ送信手段と、を含む。
【００１９】
この態様によれば、第１の移動局装置（送信側の移動局装置）のハンドオーバの際に、基地局装置（受信側の基地局装置）において蓄積バッファとして確保される記憶領域を大きくすることなく、ハンドオーバに伴うデータの欠落が回避される。
【００２０】
また、本発明に係る基地局装置において、前記セッション情報は、該セッション情報で示されるセッションで送信される通信データの送信順序を示すシーケンス番号を含み、前記セッション情報変更手段は、前記第２の通信セッションに係るセッション情報に含まれるシーケンス番号を、前記第１の通信セッションに係るセッション情報に含まれるシーケンス番号に後続するシーケンス番号に変更する。
【００２１】
この態様によれば、第１の移動局装置のハンドオーバにおいて、第１の移動局装置からハンドオーバ前に送信された通信データとハンドオーバ後に送信された通信データが、正しい順序で第２の移動局装置に送信される。
【００２２】
また、本発明に係る基地局装置において、前記セッション情報は、該セッション情報で示されるセッションで送信される通信データの送信時刻を含み、前記セッション情報変更手段は、前記第２の通信セッションに係るセッション情報に含まれる送信時刻を、前記第１の通信セッションに係るセッション情報に含まれる前記ハンドオーバ直前の時刻に基づいた時刻に変更する。
【００２３】
この態様によれば、第１の移動局装置のハンドオーバにおいて、第１の移動局装置からハンドオーバ後に送信された通信データは、ハンドオーバ前に送信された通信データに続く送信時刻に送信された通信データとして、第２の移動局装置に送信される。
【００２４】
さらに、本発明に係る基地局装置において、前記通信セッションは、ＲＴＰセッションであり、前記セッション情報は、前記通信セッションを介して送信される通信データに付加されるＲＴＰヘッダに含まれる情報の少なくとも一部である。
【００２５】
また、本発明に係る基地局装置の制御方法は、第１の基地局装置から第２の基地局装置へのハンドオーバを行う第１の移動局装置と呼接続する第２の移動局装置と通信を行う基地局装置の制御方法であって、自基地局装置と前記第１の基地局装置との間で確立される第１の通信セッションを介して、前記第１の基地局装置から、ハンドオーバ前に前記第１の移動局装置が前記第２の移動局装置宛てに送信する第１の通信データと、前記第１の通信データに関連づけられる、該第１の通信セッションに係るセッション情報と、を含む第１のセッションデータを受信する第１受信ステップと、前記第１の移動局装置のハンドオーバに伴って自基地局装置と前記第２の基地局装置との間で確立される第２の通信セッションを介して、前記第２の基地局装置から、ハンドオーバ後に前記第１の移動局装置が前記第２の移動局装置宛てに送信する第２の通信データと、前記第２の通信データに関連づけられる、該第２の通信セッションに係るセッション情報と、を含む第２のセッションデータを受信する第２受信ステップと、前記第２のセッションデータに含まれる前記第２の通信セッションに係るセッション情報を、前記第１の通信セッションに係り、前記第１の通信セッションに係るセッション情報に後続するセッション情報に変更するセッション情報変更ステップと、前記第１のセッションデータと、前記セッション情報変更ステップにおいて変更されたセッション情報を含む第２のセッションデータと、を出力するセッションデータ出力ステップと、前記セッションデータ出力ステップにおいて出力されるセッションデータの、少なくとも通信データを、該セッションデータに含まれるセッション情報が係る通信セッションに対応する蓄積バッファに蓄積する通信データ蓄積ステップと、前記蓄積バッファに蓄積される前記通信データを、該通信データに関連づけられるセッション情報に基づく順序で、前記第２の移動局装置に送信するデータ送信ステップと、を含む。
【発明を実施するための最良の形態】
【００２６】
図１は、本発明の実施の形態に係る基地局装置１０１の構成を示す図である。基地局装置１０１は、図２に示される移動通信システム２０１において通信を行う。
【００２７】
図２は、本実施の形態に係る基地局装置１０１が通信を行う移動通信システム２０１の構成を示す図である。図２の移動通信システム２０１のうち、図５で示される移動通信システム５０１を構成する装置と同じ装置には同じ符号を付し、それぞれの説明を省略している。従って、基地局装置５０２から基地局装置１０１に置換されただけなので、移動通信システム２０１の構成としては、主に基地局装置１０１の構成について説明する。
【００２８】
基地局装置１０１は、移動局装置２０５と通信を行う。移動局装置２０５は、ハンドオーバ元の基地局装置２０２からハンドオーバ先の基地局装置２０３へのハンドオーバを行う移動局装置２０４と呼接続する。
【００２９】
移動局装置２０４が移動して、最も通信に適した基地局装置が基地局装置２０２から基地局装置２０３に変化する場合、ハンドオーバにより、移動局装置２０４の通信相手は基地局装置２０２から基地局装置２０３に切り替わる。
【００３０】
ハンドオーバに伴う、移動通信システム２０１の動作を説明する。図７は、ハンドオーバに伴う移動通信システムの動作を示すシーケンスである。
【００３１】
基地局装置２０２と通信している移動局装置２０４は、通信相手を基地局装置２０２から基地局装置２０３に切り替えることを決定すると、移動局装置２０４のＩＤとともに、セッションの切り替え要求を基地局装置２０３に送信し（Ｓ７０１）、基地局装置２０３は、移動局装置２０４のＩＤとともに、切り替え要求をセンター２０７に送信する（Ｓ７０２）。
【００３２】
切り替え要求を受け取ったセンター２０７は、基地局装置１０１に、基地局装置２０３とのＲＴＰセッションの確立を、移動局装置２０４のＩＤと対応するＲＴＰセッション（基地局装置１０１と基地局装置２０２との間で確立されている、第１のＲＴＰセッション）のＲＴＰセッションＩＤ（第１のＲＴＰセッションＩＤ）を指定したうえで指示する（Ｓ７０３）。
【００３３】
ＲＴＰセッションの確立指示を受けた基地局装置１０１は、指示に従い、基地局装置２０３とのＲＴＰセッション（第２のＲＴＰセッション）を確立する（Ｓ７０４）。
【００３４】
また、移動局装置２０４は、基地局装置２０３との接続を確立する（Ｓ７０５）。
【００３５】
基地局装置１０１は、第２のＲＴＰセッションを確立すると、セッションの切り替えを行い（Ｓ７０６）、切り替えた後に、基地局装置２０２に対し、第１のＲＴＰセッションのＲＴＰセッションＩＤ（第１のＲＴＰセッションＩＤ）を指定して、ＲＴＰセッションの解放を指示する（Ｓ７０７）。
【００３６】
そして、基地局装置１０１は、切り替えの完了をセンター２０７に通知し（Ｓ７０８）、基地局装置２０３と通信を実行する（Ｓ７０９）。また、基地局装置２０３は、移動局装置２０４と通信を実行する（Ｓ７１０）。
【００３７】
以上で、ハンドオーバを伴う移動通信システムの動作は終了する。
【００３８】
次に、基地局装置１０１の構成および動作について説明する。
【００３９】
基地局装置１０１は、ネットワーク制御部１０２、音声コーデック部１０３、無線制御部１０４、無線部１０５、アンテナ１０６を含む。
【００４０】
ネットワーク制御部１０２、音声コーデック部１０３、無線制御部１０４、無線部１０５は、例えば半導体回路からなる。
【００４１】
ネットワーク制御部１０２は、受信処理部１０７、ヘッダ変更部１０８を含み、ＩＰネットワークから受信される、ＵＤＰレイヤのデータに対する処理を行う。図６Ａは、ＵＤＰレイヤのデータ構成の一例である。ＵＤＰレイヤのデータ６０１は、ＵＤＰヘッダ部６０２、ＲＴＰヘッダ部６０３、通信データ６０４を含む。
【００４２】
ネットワーク制御部１０２は、受信処理部１０７において受信されるＵＤＰレイヤのデータ６０１から、ＵＤＰヘッダ部６０２を外してＲＴＰレイヤのデータを抽出し、音声コーデック部１０３へ出力する。
【００４３】
図６Ｂは、ＲＴＰレイヤのデータ構成の一例である。ＲＴＰレイヤのデータ（セッションデータ）６０５は、ＲＴＰヘッダ部６０３と、通信データ６０４と、を含む。
【００４４】
ＲＴＰヘッダ部６０３は、通信データに関連づけられる、該通信データが送信されたＲＴＰセッションに係るセッション情報を含んでおり、具体的には、該通信データの送信順序を示すシーケンス番号６０６、第１または第２の基地局装置から該通信データが送信された送信時刻を示すタイムスタンプ６０７、該通信データが送信されたＲＴＰセッションを示すセッションＩＤ６０８（ＳＳＲＣ：Ｓｙｎｃｈｒｏｎｉｚａｔｉｏｎ  ＳｏｕＲＣｅ）を含む。
【００４５】
本実施の形態に係るネットワーク制御部１０２のヘッダ変更部１０８は、受信されるセッションデータのセッションＩＤを参照する。そして、ヘッダ変更部１０８は、それまで受信していたセッションデータのセッションＩＤと異なるセッションＩＤを含むセッションデータを受信するとＲＴＰセッションが切り替わったと認識し、以降のデータにおいて次のようにＲＴＰヘッダを変更する。
【００４６】
図３は、本実施の形態に係るヘッダ変更部１０８によるＲＴＰヘッダの変更処理を示す図である。ここで示されるセッションデータの構成は、図６Ｂで示された構成に従う。
【００４７】
ヘッダ変更部１０８は、移動局装置２０４のハンドオーバに伴って基地局装置１０１と基地局装置２０３との間で確立される第２のＲＴＰセッションを介して、ハンドオーバ後に移動局装置２０４が移動局装置２０５宛てに送信する通信データを含む第２のセッションデータが、ハンドオーバ前に移動局装置２０４が移動局装置２０５宛てに送信する通信データを含む第１のセッションデータに続いて、第１のＲＴＰセッションを介して送信されたデータと見なせるように、第２のセッションデータのＲＴＰヘッダに対して以下の変更を行う。
【００４８】
本実施の形態では、第１のセッションデータは少なくとも２つのセッションデータからなり、第２のセッションデータは少なくとも２つのセッションデータからなる。
【００４９】
ヘッダ変更部１０８は、第２のセッションデータのセッションＩＤを変更する。図３の例では、第１のＲＴＰセッションを示すセッションＩＤが“０ｘＡＡＡＡＡＡＡＡ”、第２のＲＴＰセッションを示すセッションＩＤが“０ｘＣＣＣＣＣＣＣＣ”である。ヘッダ変更部１０８は、第２のセッションデータのセッションＩＤを、“０ｘＣＣＣＣＣＣＣＣ”から、第１のＲＴＰセッションを示す“０ｘＡＡＡＡＡＡＡＡ”に変更する。
【００５０】
なお、ヘッダ変更部１０８は、ハンドオーバ前のセッションＩＤとハンドオーバ後のセッション確立後のセッションＩＤとを対応させた変換データ（０ｘＣＣＣＣＣＣＣＣ→０ｘＡＡＡＡＡＡＡＡ）を有する。この変換データに基づいて、セッションＩＤは変更される。さらにハンドオーバをした場合、この変換データは更新され、例えば、０ｘＣＣＣＣＣＣＣＣが０ｘＤＤＤＤＤＤＤＤに変更になる場合、更新された変換データは、０ｘＤＤＤＤＤＤＤＤ→０ｘＡＡＡＡＡＡＡＡとなる。
【００５１】
また、ヘッダ変更部１０８は、第２のセッションデータのシーケンス番号を、第１のセッションデータのシーケンス番号に続く番号に変更する。図３の例では、ヘッダ変更部１０８は、第２のセッションデータの先頭データのシーケンス番号“０ｘ００１５”を、第１のセッションデータの末尾データのシーケンス番号“０ｘ０００Ｃ”に続く“０ｘ０００Ｄ”に変更する。また、ヘッダ変更部１０８は、以降のデータのシーケンス番号を、それぞれその前のデータとの間隔を保った値に変更する。図３の例では、それぞれ１ずつ加算されているので、以降のデータのシーケンス番号は“０ｘ０００Ｅ”、“０ｘ０００Ｆ”に変更される。
【００５２】
さらに、ヘッダ変更部１０８は、第２のセッションデータのタイムスタンプを、第１のセッションデータに含まれる、ハンドオーバ直前のタイムスタンプに基づいたタイムスタンプに変更する。
【００５３】
ヘッダ変更部１０８は、第２のセッションデータの先頭データのタイムスタンプを、第１のセッションデータの最後の２データのタイムスタンプの間隔と、第１のセッションデータの末尾データと第２の通信セッションの先頭データのタイムスタンプの間隔と、が等しくなるように決定する。
【００５４】
第１のセッションデータの最後の２データのタイムスタンプの間隔がＡ０であるため、第２のセッションデータの先頭データのタイムスタンプは、第１のセッションデータの末尾データのタイムスタンプ“０ｘ０００００３４０”にＡ０を加算した“０ｘ０００００３Ｅ０”に変更される。また、ヘッダ変更部１０８は、以降のデータのタイムスタンプを、それぞれ変更前におけるそれぞれのデータ間の間隔を保った値に変更する。図３の例では、変更前の間隔はいずれもＡ０であるため、以降のデータのタイムスタンプは、Ａ０ずつ加算することで得られる“０ｘ０００００４８０”、“０ｘ０００００５２０”に変更される。
【００５５】
音声コーデック部１０３は、ネットワーク制御部１０２から出力されるセッションデータに対する処理を行う。
【００５６】
音声コーデック部１０３は、ＲＴＰ処理部１０９を含む。ＲＴＰ処理部１０９は、セッションデータのうち、通信データを一旦ジッタバッファに蓄積する。
【００５７】
音声コーデック部１０３は、ＲＴＰヘッダ部のセッションＩＤ６０８を参照し、ＲＴＰセッションごとにジッタバッファを確保する。そして、音声コーデック部１０３は、ジッタバッファに、シーケンス番号６０６の順に、通信データを蓄積していく。
【００５８】
なお、音声コーデック部１０３は、連続して受け取られるセッションデータにおいて、それまで受信していたセッションデータのＲＴＰセッションとは異なるＲＴＰセッションのセッションデータを受け取ると、ＲＴＰセッションが切り替わったと認識し、それまでデータを蓄積していたジッタバッファを破棄し、新たにジッタバッファを確保する。
【００５９】
本実施の形態においては、第２のセッションデータのＲＴＰヘッダは前述のように変更されているため、第１のＲＴＰセッションから第２のＲＴＰセッションに切り替えが実行された場合にも、音声コーデック部１０３は、第２のセッションデータを、第１のＲＴＰセッションで、第１のセッションデータに続いて送信されたデータと認識する。従って、音声コーデック部１０３は、第１のセッションデータに含まれる第１の通信データの蓄積に使用していたジッタバッファに対して、引き続き、第２のセッションデータに含まれる第２の通信データを蓄積する。
【００６０】
そして、音声コーデック部１０３は、ジッタバッファに蓄積されている通信データを、蓄積順に出力し、出力された通信データをタイムスタンプに基づいて無線制御部１０４に出力する。
【００６１】
無線制御部１０４は、音声コーデック部１０３から出力される通信データに対し、レイヤ３（ネットワーク層）、レイヤ２（データリンク層）の処理を行う。
【００６２】
無線部１０５は、無線制御部１０４から出力されるデータに対してレイヤ１（物理層）の処理を行い、アンテナ１０６に出力する。
【００６３】
アンテナ１０６は、無線部１０５から出力されるデータを無線信号として送信する。
【００６４】
次に、ヘッダ変更部１０８によるＲＴＰヘッダの変更処理を、フローチャートを用いて説明する。図４は、ヘッダ変更部１０８によるＲＴＰヘッダの変更処理を示すフローチャートである。
【００６５】
ヘッダ変更部１０８は、Ｓ７０４でのハンドオーバによるセッション確立後のＲＴＰセッションのセッションＩＤを、比較用パラメータＩＤ（上述の変換データを構成する、変換前のセッションＩＤ）として記憶する（Ｓ４０１）。
【００６６】
ヘッダ変更部１０８は、セッションデータを受け取ると（Ｓ４０２）、受信されたセッションデータのセッションＩＤと、比較用パラメータＩＤとを比較する（Ｓ４０３）。
【００６７】
受信されたセッションデータのセッションＩＤと比較用パラメータＩＤとが等しい場合、ヘッダ変更部１０８は、ハンドオーバが実行されたと認識し、ＲＴＰヘッダの変更処理を行う（Ｓ４０４）。
【００６８】
Ｓ４０４における変更が終わった後、およびＳ４０３における比較で受信されたセッションデータのセッションＩＤと比較用パラメータＩＤとが異なっている（ハンドオーバが実行されていない）場合には、ヘッダ変更部１０８は、次のセッションデータの有無を確認する（Ｓ４０５）。次のセッションデータが存在する場合には処理はＳ４０２に戻り、存在しない場合には、終了となる。
【００６９】
本実施の形態によれば、送信側の移動局装置のハンドオーバの際に、受信側の基地局装置において蓄積バッファとして確保される記憶領域を大きくすることなく、ハンドオーバに伴うデータの欠落が回避される。
【００７０】
なお、本発明は上記実施の形態に限定されるものではなく、本発明の趣旨を逸脱しない範囲で種々変更可能であることはいうまでもない。
【００７１】
例えば、本実施の形態ではハンドオーバによるＲＴＰセッションの切り替えに伴うデータの処理について説明したが、本発明は他の通信セッションの切り替えにおいても適用でき、ハンドオーバ以外の何らかの要因で、連続するデータを別のカテゴリに属するデータとして処理する場合にも適用できる。
【００７２】
また。本実施の形態では、有線区間におけるＲＴＰセッションの切り替えが行われる場合について示したが、本発明は無線区間における通信セッションの切り替えの場合にも適用できる。
【００７３】
また、本実施の形態では、第２のセッションデータの先頭データのタイムスタンプが、第１のセッションデータの最後の２データのタイムスタンプの間隔を基に導出される構成を示したが、このタイムスタンプは、第１のセッションデータの末尾データから、通信方式により規定される理想的な間隔を置いた値に決定する方法、より多くの第１のセッションデータの間隔の平均とする方法、など他の方法によって導出されてもよい。
【００７４】
また、本実施の形態では、第２のセッションデータの先頭データのシーケンス番号が、第１のセッションデータの末尾データのシーケンス番号に連続する番号に変更される構成を示したが、このシーケンス番号は、行われている通信の方式やシステム要求に従って、第１のセッションデータの末尾データのシーケンス番号に後続するシーケンス番号に変更されてもよい。
【００７５】
また、本実施の形態では、セッションデータに含まれる通信データのみがジッタバッファに蓄積され、蓄積順に出力される構成を示したが、本実施の形態におけるＲＴＰヘッダ内のシーケンス番号のようなデータの順序を示す順序情報が、通信データと共にジッタバッファに蓄積され、通信データはこの順序情報で示される順序で出力される構成としてもよい。
【図面の簡単な説明】
【００７６】
【図１】本発明の実施の形態に係る基地局装置の構成を示す図である。
【図２】本実施の形態に係る基地局装置が通信を行う移動通信システムの構成を示す図である。
【図３】本実施の形態に係るヘッダ変更部によるＲＴＰヘッダの変更処理を示す図である。
【図４】ヘッダ変更部によるＲＴＰヘッダの変更処理を示すフローチャートである。
【図５】ＩＰネットワークを用いる従来の移動通信システムの構成を示す図である。
【図６Ａ】ＵＤＰレイヤのデータ構成の一例である。
【図６Ｂ】ＲＴＰレイヤのデータ構成の一例である。
【図７】ハンドオーバに伴う、移動通信システムの動作を示すシーケンスである。
【図８】データの欠落が発生する場合について説明する図である。
【符号の説明】
【００７７】
１０１  基地局装置、１０２  ネットワーク制御部、１０３  音声コーデック部、１０４  無線制御部、１０５  無線部、１０６  アンテナ、１０７  受信処理部、１０８  ヘッダ変更部、１０９  ＲＴＰ処理部、２０１  移動通信システム、２０２  基地局装置、２０３  基地局装置、２０４  移動局装置、２０５  移動局装置、２０６  ルータ、２０７  センター、５０１  移動通信システム、５０２  基地局装置、６０１  ＵＤＰレイヤのデータ、６０２  ＵＤＰヘッダ部、６０３  ＲＴＰヘッダ部、６０４  通信データ、６０５  ＲＴＰレイヤのデータ、６０６  シーケンス番号、６０７  タイムスタンプ、６０８  セッションＩＤ。
【図１】
2010109632.tif 000003
【図２】
2010109632.tif 000004
【図３】
2010109632.tif 000005
【図４】
2010109632.tif 000006
【図５】
2010109632.tif 000007
【図６Ａ】
2010109632.tif 000008
【図６Ｂ】
2010109632.tif 000009
【図７】
2010109632.tif 000010
【図８】
2010109632.tif 000011